(57)【要約】      （修正有）【課題】エアーブレーカーによるはつり作業時に、作業性を損なうことなく粉塵の飛散を防止する、エアーブレーカーの排気を利用した少水量粉塵飛散防止装置を提供する。【解決手段】エアーブレーカーの排気孔１ｆ周りに注水口２ｂを装備した筒カバー２ａを装着し、打撃作動に連動して筒内に霧を発生させると同時にその排気圧力により一方向にのみ開放された筒の先端の噴霧口２ｄから霧をチゼル周辺に吹付け霧Ｍを含んだエアーカーテンＣを形成し、少量の水Ｗではつり対象物と破砕片を適度に湿らせることで、作業性を損なうことなく粉塵の飛散を防止する。【選択図】図３
0003235516.tif 000002
【実用新案登録請求の範囲】
【請求項１】
エアーブレーカーの排気孔周りに注水口を装備した筒カバーを装着し、打撃作動に連動して筒内に霧を発生させると同時にその排気圧力により一方向にのみ開放された筒の先端から霧をチゼル周辺に吹付け霧を含んだエアーカーテンを形成し、少量の水ではつり対象物と破砕片を適度に湿らせることで、作業性を損なうことなく粉塵の飛散を防止することを特徴とするエアーブレーカーの排気を利用した少水量粉塵飛散防止装置。
【考案の詳細な説明】
【技術分野】
【０００１】  本考案は、建設業、解体業、その他産業における手持ち式エアーブレーカーを用いて行うコンクリート、モルタル、レンガ、岩石等の人力はつり作業時の粉塵飛散防止対策に関するものである。
【背景技術】
【０００２】  はつり作業における粉塵飛散防止対策としては、集塵機で浮遊粒子のまま強制的に捕集する乾式対策と、水を使い粉塵を湿潤状態にし飛散させない湿式対策の２つが代表的である。
乾式対策の場合、エアーブレーカーを含むエアー式工具はその構造上、動力源である圧縮空気を作動と同時に機体から排出する必要があり、この排気が雰囲気を乱し浮遊粒子をより広範囲に拡散させる為、エアー式工具に限っては乾式が有効な粉塵防止対策とはなりがたい。
そこで一般には、散水専従者を配置し水ホースの散水ノズルで、はつり作業者の操るエアーブレーカーのチゼルに散水し、粉塵を抑えようとする湿式対策が定着している
【先行技術文献】
【特許文献】
【０００３】
【特許文献１】特開平７−１６４３５２号公報
【特許文献２】実全昭６０−１６５１７７号公報
【特許文献３】実全昭６１−０７５９８３号公報
【考案の概要】
【考案が解決しようとする課題】
【０００４】  従来の散水による湿式の粉塵飛散防止対策では、散水専従者といった本来必要のない人件費が発生するほか、破砕時のエアーブレーカーのチゼル先端から絶えず発散される粉塵全てを、散水ノズルの直線的噴射または粗目の水滴群で完全に捕捉するのは困難であった。
また、大量の水を無駄に噴射することで、はつるべき面が水没したり汚泥にまみれた破砕片の回収が困難になったりといった作業性の悪さが問題であった。
これらの問題を解決するため、先行技術でも様々な考案がなされているが、いずれも本考案の目指す「エアーブレーカー本来の作業性を損なうことなく粉塵の飛散を防止」の主旨にそぐわない形状や機能であった。
例えば、特許文献１、特許文献２のように、チゼル先端を覆い隠してしまえば、粉塵は抑え込むことができるが、はつり作業者がチゼル先端を視認できないことになり、作業性は犠牲にされている。
また、特許文献３は、チゼル先端が視認できるという点では理想に近いが、新たに分岐エアー配管を設け霧吹き部にスプレーガンノズルといった突起部品を複数有しており、本体の重量増加と突起部品の煩わしさによる作業者の疲弊は想像にたやすく、また容易に脱着できない点でも、本来の作業性は犠牲にされている。
はつり作業という過酷な作業環境で使用される振動工具に装着する装置として考えたとき、より現実的で軽便な装置の開発が求められ、作業性や耐久性から見ても部品点数と突起部分は最小限にとどめることが重要な課題であった。
【課題を解決するための手段】
【０００５】  エアーブレーカーの排気孔周りに注水ホースを取り付けた筒カバーを装着することで、作動と共に筒内に霧を発生させ、かつその作動の排気圧力により一方向にのみ開放された筒の先端から霧をチゼル周辺に吹付けることで、少量の水ではつり対象物と破砕片を適度に湿らせ、作業性を損なうことなく粉塵の飛散を防止することを特徴とするエアーブレーカーの排気を利用した少水量粉塵飛散防止装置を考案した。
本考案では新たなエアー配管や霧吹きノズルを必要とせず、排気を利用して霧を発生させかつ打撃操作に連動して霧を吹付けており、これが本考案の独創性として先行技術と一線を画す点である。
【考案の効果】
【０００６】  考案により、散水専従者は必要なくなり、はつり作業者はチゼル先端を容易に視認でき、突起の無い装置背面には体をあてがえるなど無対策時と同等の作業が可能である。粉塵飛散防止効果については、チゼル周辺に吹付けられた霧を含む排気が円錐状のエアーカーテンとしての役割をなし粉塵を封じ込めつつ適度な湿潤状態にして近傍に落下させ、かつ少水量である為はつり面が水没するほど水浸しになることはなく、従来の散水による湿式の粉塵飛散防止対策より作業性を大幅に向上させるなどの効果が期待できる。
【図面の簡単な説明】
【０００７】
【図１】本考案の一実施例の粉塵飛散防止装置を示す正面図である。
【図２】本考案の一実施例の粉塵飛散防止装置を示す左側面図及び底面図である。
【図３】本考案における装置筒部の噴霧の仕組みと作動状態を示す図である。
【考案を実施するための形態】
【０００８】  本考案では、エアーブレーカーの排気孔と胴部を覆うようにして円筒状のカバーを装着する。円筒状カバーは上部を固定バンドで緊締し固定を兼ね気密にし、下部を噴霧口として開放しておく。円筒状カバーの側面、該排気孔位置にあたる部分には筒内に貫通した注水口が設けられており、該注水口に接続したホースの先に水量調整バルブがある。これらへの給水については水道直結やポンプ圧送のほか、自然落下式や負圧吸水式とし、好ましくは清水であるが、該注水口はノズルを有しておらず粒径０．５ミリメートル程度の不純物は許容するため汚泥処理の過程で発生した上澄み水を再利用できる。なお、冬季・寒冷地ではエアーブレーカーの凍結対策として温水を使用する。
以上の構成をもって「エアーブレーカーの排気を利用した少水量粉塵飛散防止装置（以下、該装置）」とし、該装置を装着したエアーブレーカーに圧縮空気を送り待機状態となれば該水量調整バルブで水量を調整し該装置筒内に適量の水滴を滴らせる。
操作レバーによる打撃作動と共に圧縮空気の排気によって筒内の水滴が攪拌され瞬時に霧を発生させ、かつその作動の排気圧力により筒先円周に開放された噴霧口から霧をチゼル周辺に吹付けることで、円錐状の湿度の高いエアーカーテンを形成し、チゼル先端から発散される粉塵を封じ込め、同時に粉塵と破砕片を適度に湿らせ落下させ、作業性を損なうことなく粉塵の飛散を防止することを可能にする。
【実施例】
【０００８】  以下、添付図面に従って一実施例を説明する。１がエアーブレーカーである。本実施例においては図示と類似形状のものであればメーカーを問わず適合する。但し、３０番（３５番）、２０番、１５番と通称される３種があり、それぞれ胴の直径と長さが異なるため、製作に至っては３種の規格が必要である。
なお、図示とは異形の型式も存在するが、排気を伴うエアー式ブレーカーであれば本考案の作動原理と共通であり、その場合、実施形状を変更するだけである。
２が本考案の「エアーブレーカーの排気を利用した少水量粉塵飛散防止装置（以下、該装置）」である。軽便さを重視し組立済パーツ点数は固定具３を除き１点のみ、円筒状のカバー２ａは非可塑性で弾力はあるが容易に変形しない又は一時的に変形しても元の形状に復元する素材とし、この円筒状カバー２ａ側面の注水口２ｂには水量調整バルブ２ｃがホースを介し接続されている。なお、注水口２ｂ自体に噴霧機能は必要なくノズルを有していないため、用水Ｗに濁水を使用しても霧ノズルのようなゴミ詰まりのトラブルは少ない。【０００９】  装着は、エアーブレーカー１の下部から該装置２を差込み、排気孔１ｆと注水口２ｂの水平高さを合わせる程度まで挿入し、上部を固定具３で緊締する。なお、本実施例では固定具３は半円分割の金具をボルトナット緊締としているが、円筒状のカバー２ａの材質によってはワンタッチバンドでも可能であり、この場合装着に工具は不要となる。また、チゼルホルダー１ｄは完全に露出しており、該装置２を装着したままチゼル１ｃの交換が可能である。【００１０】  以下、添付図面の図１図２に加え、仕組みを図３に従って説明する。該装置２を装着したエアーブレーカー１のエアー配管１ａに圧縮空気Ａを送り待機状態とし、水量調整バルブ２ｃで堰き止めてあった水Ｗの水量を調整しながら開栓し、該装置２筒内に適量の水滴Ｗを滴らせる。
操作レバー１ｂによる打撃開始と共に圧縮空気Ａの排気Ｅによって筒内の水滴Ｗが攪拌され瞬時に霧Ｍを発生させ、かつその排気圧力により筒先円周に開放された噴霧口２ｄから霧Ｍをチゼル１ｃ周辺に吹付けることで、霧を含んだエアーカーテンＣを円錐状に形成し、チゼル１ｃ先端から発散される粉塵を封じ込め、同時に粉塵と破砕片を霧Ｍで浮遊しない程度に湿らせ落下させる。これにより、はつり作業者Ｈは無対策時と同等の作業性を確保でき、かつ水浸しにすることなく粉塵の飛散を防止できる。
【符号の説明】
【００１１】１  エアーブレーカー本体
１ａ  エアー配管
１ｂ  操作レバー
１ｃ  チゼル
１ｄ  チゼルホルダー
１ｅ  ハンドル部
１ｆ  排気孔
２  エアーブレーカーの排気を利用した少水量粉塵飛散防止装置本体
２ａ  円筒状のカバー
２ｂ  注水口
２ｃ  水量調整バルブ
２ｄ  噴霧口
３  固定具
Ａ  圧縮空気
Ｗ  水（水滴含む）
Ｅ  排気
Ｍ  霧
Ｃ  霧を含んだエアーカーテン
Ｈ  はつり作業者
【図１】
0003235516.tif 000003
【図２】
0003235516.tif 000004
【図３】
0003235516.tif 000005